(57)【要約】【課題】耐用寿命に達した場合に使用者に確実に交換を促す。【解決手段】制御部１０は、照明器具が耐用寿命に達したか否かを判別する寿命判別手段に相当し、商用交流電源ＡＣに接続された時点からの経過時間を積算部９の積算時間から求めることで耐用寿命経過の判別を行う。さらに制御部１０は、積算部９の積算時間が予め設定されている時間を超えたらモータ駆動部８を制御してモータＭを駆動し、可動片４ｂを反射板４内に進入させることで配光特性を正常時よりも大きく変化させ、本来の配光特性を得られなくして照明器具の正常使用を不可とする。故に、可動片４ｂを反射板４内に進入させて配光特性を変化させることで照明器具の正常使用を不可としているから、使用者に確実に照明器具の交換を促すことができる。【選択図】        図１
2006236715.tif 000002
【特許請求の範囲】
【請求項１】
光源たるランプが装着されるランプソケットと、外部の電源からランプソケットを介してランプに供給する電力を調整してランプを安定点灯させる安定器と、ランプソケット並びに安定器を支持する器具本体と、反射や拡散あるいは屈折等によりランプの光を制御する光制御部材と、ランプソケット、安定器、器具本体、光制御部材の少なくとも何れか一つの構成部材が耐用寿命に達したか否かを判別する寿命判別手段と、寿命判別手段が耐用寿命に達したと判別したときに該判別結果の情報を告知する寿命告知手段とを備え、該寿命告知手段は、器具の正常使用を不可とすることを特徴とする照明器具。
【請求項２】
前記寿命告知手段は、ランプから放射される光を減光させることを特徴とする請求項１記載の照明器具。
【請求項３】
前記寿命告知手段は、安定器の動作開始又は停止を不可とすることを特徴とする請求項１記載の照明器具。
【請求項４】
前記寿命告知手段は、ランプソケットへのランプの装着又は器具本体への光制御部材の取付の少なくとも何れか一方を不可とすることを特徴とする請求項１記載の照明器具。 
【発明の詳細な説明】
【技術分野】
【０００１】
本発明は、照明器具に関するものである。
【背景技術】
【０００２】
一般の照明器具は、通常、光源たるランプ（蛍光灯などの放電灯や白熱灯）が装着されるランプソケットと、外部の電源（例えば、商用交流電源）からランプソケットを介してランプに供給する電力を調整してランプを安定点灯させる安定器と、ランプソケット並びに安定器を支持する器具本体と、反射や拡散あるいは屈折等によりランプの光を制御する光制御部材（反射板やグローブなど）とで構成されている。ここで、ランプについては、不点灯や始動性あるいは光量の低下といった明白な現象により、使用者が経年劣化（寿命末期）を容易に知ることができて交換されることになる。一方、照明器具についても耐用寿命が存在し、金属部品の疲労や酸化、合成樹脂成形品の劣化、変色、破損、あるいは安定器を構成する部品の劣化、絶縁抵抗の低下等の現象として現れる。しかしながら、ランプが正常に点灯している場合、一般的に使用者は照明器具の耐用寿命に気付かずに使用し続けることが多く、照明器具が耐用寿命を超えて使用された場合には本来の適正な性能が得られないという問題がある。
【０００３】
ところで、蛍光灯用の電子安定器（放電灯点灯装置）については、その累積動作時間を計時することでコンデンサやトランジスタといった電子部品の経年劣化を予測し、累積動作時間が予め決められた時間に達した時点で使用者に報知することで電子部品の耐用寿命による故障を未然に防止しようとするものが既に提案されている（例えば、特許文献１又は特許文献２参照）。
【特許文献１】特開２００４−２５９５３３号公報
【特許文献２】特開２００１−１８５３７４号公報
【発明の開示】
【発明が解決しようとする課題】
【０００４】
ところで、安定器等が耐用寿命に達したことを使用者に告知する方法として、ランプを点滅させるといった表示方法が考えられるが、そのように何らかの表示で告知する方法では、使用者に照明器具の交換を促すことが難しいという問題があった。
【０００５】
本発明は上記事情に鑑みて為されたものであり、その目的は、耐用寿命に達した場合に使用者に確実に交換を促すことができる照明器具を提供することにある。
【課題を解決するための手段】
【０００６】
請求項１の発明は、上記目的を達成するために、光源たるランプが装着されるランプソケットと、外部の電源からランプソケットを介してランプに供給する電力を調整してランプを安定点灯させる安定器と、ランプソケット並びに安定器を支持する器具本体と、反射や拡散あるいは屈折等によりランプの光を制御する光制御部材と、ランプソケット、安定器、器具本体、光制御部材の少なくとも何れか一つの構成部材が耐用寿命に達したか否かを判別する寿命判別手段と、寿命判別手段が耐用寿命に達したと判別したときに該判別結果の情報を告知する寿命告知手段とを備え、該寿命告知手段は、器具の正常使用を不可とすることを特徴とする。
【０００７】
請求項２の発明は、請求項１の発明において、前記寿命告知手段は、ランプから放射される光を減光させることを特徴とする。
【０００８】
請求項３の発明は、請求項１の発明において、前記寿命告知手段は、安定器の動作開始又は停止を不可とすることを特徴とする。
【０００９】
請求項４の発明は、請求項１の発明において、前記寿命告知手段は、ランプソケットへのランプの装着又は器具本体への光制御部材の取付の少なくとも何れか一方を不可とすることを特徴とする。
【発明の効果】
【００１０】
本発明によれば、耐用寿命に達した場合には寿命告知手段によって器具の正常使用が不可となるから、使用者に確実に交換を促すことができる。
【発明を実施するための最良の形態】
【００１１】
以下、片口金のコンパクト形蛍光ランプを光源とする埋込型の照明器具に本発明の技術思想を適用した実施形態について図面を参照して詳細に説明する。但し、これに限定する主旨ではなく、他の形状の蛍光ランプや蛍光ランプ以外の放電灯若しくは白熱灯などを光源とする照明器具全般に本発明の技術思想が適用可能である。
【００１２】
（実施形態１）
本実施形態は、図１及び図２に示すように金属板を加工することで平板状に形成された器具本体１と、器具本体１の一端部に下方へ向けて取り付けられたランプソケット２と、器具本体１に取り付けられる安定器３と、光制御部材である反射板４とを備えている。
【００１３】
安定器３は、蛍光ランプＬＡの始動及び点灯中ともに半導体素子による交流−交流（商用周波−高周波）変換を行って蛍光ランプＬＡを適正に点灯させる機能を有した蛍光灯電子安定器（ＪＩＳ  Ｃ  ８１１７参照）であって、半導体素子などの電子部品を実装したプリント配線板（図示せず）を金属製のケースに収納して構成され、電線を介してランプソケット２に接続されている。また器具本体１には端子台５が固定されており、この端子台５を介して安定器３が商用交流電源ＡＣと接続される。
【００１４】
反射板４は下面が開口した略円錐台形に形成され、上面側において器具本体１に固定されている。反射板４の上面には孔が貫設されており、この孔を通して蛍光ランプＬＡの口金がランプソケット２に装着される。また反射板４の下端部には外側に突出するフランジ部４ａが設けられ、このフランジ部４ａの上方に一対の挟み金具６が回動自在に取り付けられている。すなわち、挟み金具６の先端をランプソケット２に近付けるようにして畳み込み、天井に設けた埋込孔に器具本体１並びに反射板４を挿入した後、ばね力で復帰した挟み金具６とフランジ部４ａとの間で天井材を狭持することにより天井に埋め込まれた状態で固定される。ここで、反射板４は側面の一部が切り欠かれており、この切り欠かれた部分を塞ぐ可動片４ｂが回動軸４ｃを介して反射板４に枢支されている。図１（ｂ）に示すように回動軸４ｃにはギア４ｄが取り付けられており、このギア４ｄを介して回動軸４ｃを回動することにより可動片４ｂが回動して反射板４内に進入し、蛍光ランプＬＡの光が可動片４ｂに遮られて配光特性が変化することになる。
【００１５】
また本実施形態は、回動軸４ｃに取り付けられたギア４ｄと噛合した駆動用ギア７を回動するモータＭと、モータＭを駆動するモータ駆動部８と、端子台５を介して安定器３に商用交流電源ＡＣが供給されている時間を積算する積算部（アワーメータ）９と、モータ駆動部８を制御してモータＭを駆動させる制御部１０とを備えている。制御部１０は、ランプソケット２、安定器３、器具本体１、反射板４の少なくとも何れか一つの構成部材が耐用寿命に達したか否かを判別する寿命判別手段に相当し、商用交流電源ＡＣに接続された時点からの経過時間を積算部９の積算時間から求めることで耐用寿命経過の判別を行う。さらに制御部１０は、積算部９の積算時間が予め設定されている時間を超えたらモータ駆動部８を制御してモータＭを駆動し、可動片４ｂを反射板４内に進入させることで配光特性を正常時よりも大きく変化させ、本来の配光特性を得られなくして照明器具の正常使用を不可とする。
【００１６】
このように本実施形態によれば、可動片４ｂを反射板４内に進入させて配光特性を変化させることで照明器具の正常使用を不可としているから、使用者に確実に照明器具の交換を促すことができる。
【００１７】
（実施形態２）
本実施形態は、図３及び図４に示すように金属板を加工することで矩形箱状に形成された器具本体１と、下面が開口する矩形筒状であって器具本体１と一体に設けられた反射板４と、反射板４内で水平方向に並設された２つのランプソケット２と、器具本体１に取り付けられる安定器３と、反射板４の開口の略半分を塞ぐように配設された平板状の液晶シャッタ１１とを備えている。但し、本実施形態の基本構成は実施形態１とほぼ共通であり、多少の形状の違いはあっても共通の機能を有する構成要素については同一の符号を付して適宜説明を省略する。
【００１８】
液晶シャッタ１１は、透過型のＬＣＤパネルからなる従来周知のものであって、液晶駆動部１２により駆動されて一方の面から入射する光を他方の面へ透過させる状態と透過させない（遮光する）状態とに択一的に切り換えられる。そして、この液晶シャッタ１１が一方のランプソケット２に装着される蛍光ランプＬＡと対向して開口の略半分を塞ぐように反射板４に配設される。
【００１９】
而して、制御部１０は積算部９の積算時間が予め設定されている時間を超えたら液晶駆動部１２を制御して液晶シャッタ１１を光が透過しない状態に切り換えさせることで片方の蛍光ランプＬＡの光を遮光し、本来の配光特性を得られなくして照明器具の正常使用を不可とする。
【００２０】
このように本実施形態によれば、液晶シャッタ１１で蛍光ランプＬＡの光を遮光させて配光特性を変化させることで照明器具の正常使用を不可としているから、使用者に確実に照明器具の交換を促すことができる。尚、液晶シャッタ１１の代わりに反射板４の開口に回動自在に設けられたルーバを駆動することで蛍光ランプＬＡの光を遮光させてもよい。
【００２１】
（実施形態３）
本実施形態の基本構成は実施形態１と共通であるから、共通の構成要素には同一の符号を付して説明を省略し、本実施形態の特徴となる構成についてのみ説明する。
【００２２】
図５に示すように反射板４には窓孔４ｅが設けられ、この窓孔４ｅがフィルム１４で閉塞されている。フィルム１４は蛍光ランプＬＡから放射される紫外線や熱により経年劣化して退色する又は光の透過率が上昇するものである。また反射板４の外側には取付板１５が設けられ、この取付板１５に取り付けられた発光ダイオードＬＥＤが窓孔４ｅに対向させてある。この発光ダイオードＬＥＤは、図６に示すようにＡＣ／ＤＣコンバータ１３で商用交流電源ＡＣの交流電圧を変換して得られる直流電圧が図示しないリード線を介して印加されることで発光する。そして、発光ダイオードＬＥＤが発する光はフィルム１４に遮られて窓孔４ｅを通して反射板４内に照射されないようになっている。
【００２３】
しかしながら、経年劣化によってフィルム１４が退色すると発光ダイオードＬＥＤの発する光がフィルム１４を通過するため、蛍光ランプＬＡの光以外の余分な光（フィルム１４を通過した発光ダイオードＬＥＤの光）が下方に照射され、本来の配光特性が得られなくなって照明器具の正常使用が不可となる。
【００２４】
このように本実施形態によれば、蛍光ランプＬＡ以外の余分な光を加えることで照明器具の正常使用を不可としているから、使用者に確実に照明器具の交換を促すことができる。尚、余分な光を発する光源としては発光ダイオード以外にもレーザ発振器や白熱ランプ等を用いてもよい。またＡＣ／ＤＣコンバータ１３の代わりに電池を用いて発光ダイオードＬＥＤを発光させてもよい。
【００２５】
（実施形態４）
本実施形態の基本構成は実施形態１又は２と共通であるから、共通の構成要素には同一の符号を付して適宜図示並びに説明を省略し、本実施形態の特徴となる構成についてのみ説明する。
【００２６】
図７に示すように端子台５には常開のリレー接点ｒを介して予備電源１６が商用交流電源ＡＣと並列に接続される。このリレー接点ｒは、リレー駆動部１７により励磁コイルＬに励磁電流が供給されている間だけオンとなる。すなわち、商用交流電源ＡＣと端子台５を接続する給電線には壁スイッチ（図示せず）が挿入されており、壁スイッチがオフされると安定器３への給電が停止して蛍光ランプＬＡが消灯するのであるが、照明器具が耐用寿命に達したときはリレー接点ｒをオンし、予備電源１６から安定器３に電源を供給することで蛍光ランプＬＡを点灯させて使用者に告知するのである。
【００２７】
而して、制御部１０は積算部９の積算時間が予め設定されている時間を超えたらリレー駆動部１７を制御して励磁コイルＬに励磁電流を流してリレー接点ｒをオンし、予備電源１６から安定器３への電源供給を行うので、例え使用者が壁スイッチをオフしても蛍光ランプＬＡを点灯させて照明器具の正常使用を不可とする。
【００２８】
このように本実施形態によれば、予備電源１６から安定器３に電源を供給して壁スイッチの操作では蛍光ランプＬＡを消灯できないようにして照明器具の正常使用を不可としているから、使用者に確実に照明器具の交換を促すことができる。
【００２９】
尚、安定器３として、外部から与えられる調光信号によってランプ電力（光出力）が制御（調光）される調光形安定器（ＪＩＳ  Ｃ  ８１２０−１参照）を備える場合においては、照明器具が耐用寿命に達したときに調光信号の入力端子を常時開放又は常時短絡させて調光制御をできなくして照明器具の正常使用を不可とするようにしても構わない。
【００３０】
（実施形態５）
本実施形態の基本構成は実施形態１又は２と共通であるから、共通の構成要素には同一の符号を付して適宜図示並びに説明を省略し、本実施形態の特徴となる構成についてのみ説明する。
【００３１】
図８に示すように端子台５と商用交流電源ＡＣを接続する給電線には電流ヒューズＦが挿入されており、この電流ヒューズＦに強制的に過電流を流して溶断させる電流供給部１８が設けてある。
【００３２】
而して、制御部１０は積算部９の積算時間が予め設定されている時間を超えたら電流供給部１８を制御して電流ヒューズＦに過電流を流して溶断するので、蛍光ランプＬＡの点灯をできなくして照明器具の正常使用を不可とする。
【００３３】
このように本実施形態によれば、電流供給部１８から過電流を流して電流ヒューズＦを溶断し蛍光ランプＬＡを点灯できないようにして照明器具の正常使用を不可としているから、使用者に確実に照明器具の交換を促すことができる。
【００３４】
（実施形態６）
本実施形態の基本構成は実施形態１又は２と共通であるから、共通の構成要素には同一の符号を付して適宜図示並びに説明を省略し、本実施形態の特徴となる構成についてのみ説明する。
【００３５】
図９（ａ）に示すように器具本体１には引き紐スイッチ２０が設けられ、引き紐２１が引かれる毎に安定器３への給電路に挿入された接点が開閉されて蛍光ランプＬＡを点灯及び消灯させることができる。かかる引き紐スイッチ２０は従来周知であって、接点を開閉するためのギア２２と、ギア２２の軸に一端が固定されるとともに他端から引き紐２１が垂下された棒体２３と、軸部に所謂ワンウェイクラッチを内蔵しギア２２と噛合した駆動ギア２４とを備える。駆動ギア２４はワンウェイクラッチによって片方向（図９（ａ）における反時計回り）にのみ回転となっており、器具本体１に対して水平方向の一方（図９（ａ）における左向き）にのみ平行移動可能な移動体３０を押動するように構成されている。すなわち、引き紐２１が引かれるとギア２２が時計回りに回転して接点がオン又はオフされるとともに、駆動ギア２４を反ロック方向に回動させて移動体３０を水平方向に所定距離ｄだけ移動させる。そして、引き紐スイッチ２０が照明器具が耐用寿命に達する回数だけ操作されると、図９（ｂ）に示すように移動体３０の段部３１が引き紐スイッチ２０の棒体２３と干渉し、ギア２２が元の位置に戻らなくなることで蛍光ランプＬＡを点灯又は消灯できなくして照明器具の正常使用を不可とする。
【００３６】
このように本実施形態によれば、引き紐スイッチ２０の操作回数が所定回数以上に操作されると照明器具の耐用寿命に達した判断されて引き紐２１が元の位置に戻らなくなって照明器具の正常使用を不可としているから、使用者に確実に照明器具の交換を促すことができる。
【図面の簡単な説明】
【００３７】
【図１】本発明の実施形態１を示し、（ａ）は半断面図、（ｂ）は要部構成図である。
【図２】同上の回路ブロック図である。
【図３】本発明の実施形態２を示し、（ａ）は正面図、（ｂ）は右側面図、（ｃ）は下面図である。
【図４】同上の回路ブロック図である。
【図５】本発明の実施形態３を示す半断面図である。
【図６】同上の回路ブロック図である。
【図７】本発明の実施形態４を示す回路ブロック図である。
【図８】本発明の実施形態５を示す回路ブロック図である。
【図９】（ａ）（ｂ）は本発明の実施形態の要図を示す平面図である。
【符号の説明】
【００３８】
１  器具本体
２  ランプソケット
３  安定器
４  反射板
４ｂ  可動片
【図１】
2006236715.tif 000003
【図２】
2006236715.tif 000004
【図３】
2006236715.tif 000005
【図４】
2006236715.tif 000006
【図５】
2006236715.tif 000007
【図６】
2006236715.tif 000008
【図７】
2006236715.tif 000009
【図８】
2006236715.tif 000010
【図９】
2006236715.tif 000011